(57)【要約】【課題】電装ボックスを取り外す際にサービスマンがケーブルの接続を解除し忘れることを防止する。【解決手段】画像形成装置１００は、本体３０と、本体に取り外し可能に固定される電装ボックス２００と、電装ボックスを本体に固定するための固定部材２０８ａ〜２０８ｆと、電装ボックスの中に配置された第１の制御基板２０１と、電装ボックスの外に配置された第２の制御基板２０２、２０３と、第１の制御基板と第２の制御基板とを接続するケーブル２０４、２０５と、を備え、固定部材の少なくとも一つ２０８ｅ、２０８ｆの位置は、電装ボックスの中に配回されているケーブルの経路に重なっている。【選択図】図４
2020170024.tif 000002
【特許請求の範囲】
【請求項１】
本体と、
前記本体に取り外し可能に固定される電装ボックスと、
前記電装ボックスを前記本体に固定するための固定部材と、
前記電装ボックスの中に配置された第１の制御基板と、
前記電装ボックスの外に配置された第２の制御基板と、
前記第１の制御基板と前記第２の制御基板とを接続するケーブルと、
を備え、
前記固定部材の少なくとも一つの位置は、前記電装ボックスの中に配回されている前記ケーブルの経路に重なっていることを特徴とする画像形成装置。
【請求項２】
前記固定部材は、前記本体に締めこまれるビスであり、
前記ビスの前記少なくとも一つの前記位置は、前記ビスの取り付け方向に沿って見たときに前記ケーブルに重なっていることを特徴とする請求項１に記載の画像形成装置。
【請求項３】
前記ビスの前記少なくとも一つの一部又は全部は、前記ビスの取り付け方向に沿って見たときに前記ケーブルに重なっていることを特徴とする請求項２に記載の画像形成装置。
【請求項４】
前記ケーブルは、前記電装ボックスに設けられた開口部又は切り欠き部を通って前記第１の制御基板と前記第２の制御基板とを接続することを特徴とする請求項１乃至３のいずれか一項に記載の画像形成装置。
【請求項５】
前記第１の制御基板から前記ケーブルの接続を外すことによって前記固定部材の前記少なくとも一つの前記位置を視認することができることを特徴とする請求項１乃至４のいずれか一項に記載の画像形成装置。
【請求項６】
前記ケーブルを前記第１の制御基板に取り外し可能に接続するコネクタを備えることを特徴とする請求項５に記載の画像形成装置。
【請求項７】
前記固定部材の前記少なくとも一つの前記位置を示す目印が前記電装ボックスに設けられていることを特徴とする請求項１乃至６のいずれか一項に記載の画像形成装置。
【発明の詳細な説明】
【技術分野】
【０００１】
本発明は、本体に取り外し可能に固定される電装ボックスを備える画像形成装置に関する。
【背景技術】
【０００２】
画像形成装置に用いられる画像データを生成する画像データ生成基板は、電磁波の放射又は電磁波によるノイズの影響を受けやすい。そのため、画像データ生成基板は金属製の電装ボックス内に収容され、電装ボックスは画像形成装置の後部に取り付けられる。特許文献１は、画像形成装置の後部に対して閉位置と開位置とに開閉可能な片開きの扉状の電装ボックスを開示している。電装ボックスを開位置にすることによって、電装ボックス内の画像データ生成基板のメンテナンスが容易になる。
【先行技術文献】
【特許文献】
【０００３】
【特許文献１】特開２００７−１４８０６７号公報
【発明の概要】
【発明が解決しようとする課題】
【０００４】
しかし、本体の後部に取り外し可能に直接固定される電装ボックスを備える画像形成装置がある。このような画像形成装置において、サービスマンが電装ボックスの奥側に配置されている駆動ユニット等をメンテナンスするためには、電装ボックスを画像形成装置の本体から取り外す必要がある。一般に、電装ボックスの中に配置された画像データ生成基板は、フレキシブルフラットケーブル（以下、ＦＦＣという）や電線を束ねたハーネスなどのケーブルによって、電装ボックスの外に配置された制御基板に電気的に接続されている。電装ボックスに中継コネクタが備えられている場合、電装ボックスの中の画像データ生成基板と中継コネクタをケーブルで接続し、中継コネクタと電装ボックスの外の制御基板を別のケーブルで接続する。
【０００５】
しかし、コストの観点で有利にするために中継コネクタを用いない場合、電装ボックスの外に配置された制御基板に接続されたケーブルは、電装ボックスに設けられた開口部又は切り欠き部を通して電装ボックスの中の画像データ生成基板に接続される。このような構成において、サービスマンが電装ボックスの奥側に配置されている駆動ユニットをメンテナンスするために電装ボックスを取り外すときに、電装ボックスを取り外す前に画像データ生成基板に接続されたケーブルを取り外さなければならない。もし、画像データ生成基板にケーブルが接続された状態で電装ボックスを取り外すと、ケーブルやケーブルが接続されている画像データ生成基板のコネクタが破損してしまうという課題がある。
【０００６】
そこで、本発明は、サービスマンがケーブルの接続を解除し忘れることなく電装ボックスが取り外される画像形成装置を提供する。
【課題を解決するための手段】
【０００７】
本発明の一実施例による画像形成装置は、
本体と、
前記本体に取り外し可能に固定される電装ボックスと、
前記電装ボックスを前記本体に固定するための固定部材と、
前記電装ボックスの中に配置された第１の制御基板と、
前記電装ボックスの外に配置された第２の制御基板と、
前記第１の制御基板と前記第２の制御基板とを接続するケーブルと、
を備え、
前記固定部材の少なくとも一つの位置は、前記電装ボックスの中に配回されている前記ケーブルの経路に重なっていることを特徴とする。
【発明の効果】
【０００８】
本発明によれば、サービスマンがケーブルの接続を解除し忘れることなく電装ボックスを取り外すことができる。
【図面の簡単な説明】
【０００９】
【図１】画像形成装置の断面図。
【図２】画像形成装置の背面図。
【図３】電装ボックス、ＦＦＣ及びハーネスが取り外された画像形成装置の背面図。
【図４】電装ボックスの内側の部分拡大図。
【発明を実施するための形態】
【００１０】
（画像形成装置）
図１は、画像形成装置１００の断面図である。図１に示すように、画像形成装置１００は、中間転写ベルト３の下向き面に沿って画像形成部１ａ、１ｂ、１ｃ、１ｄを配列したタンデム型中間転写方式のフルカラープリンタである。また、画像形成装置１００は、原稿Ｄの画像を読み取る原稿読み取り部１０１と、原稿給送トレイ１０３に載置された原稿Ｄを自動で原稿読み取り部１０１へ搬送する自動原稿搬送部１０２を有する。画像形成装置１００の下部に、給送カセット１０４及び１０５が設けられている。給送カセット１０４及び１０５は、同様の構造を有するので、以下、給送カセット１０４を説明し、給送カセット１０５の説明を省略する。給送カセット１０４は、画像形成装置１００の本体３０から引出し可能である。ユーザは、給送カセット１０４を引き出し、給送カセット１０４に用紙Ｐを補給し、給送カセット１０４を本体３０へ押し込んで給送カセット１０４を本体３０に装着できる。給送ローラ８は、給送カセット１０４から用紙Ｐを引き出し、用紙Ｐを一枚ずつに分離してレジストレーションローラ９へ給送する。レジストレーションローラ９は、停止状態で用紙Ｐを受け入れて待機させ、中間転写ベルト３上に形成されるトナー像にタイミングを合わせて用紙Ｐを二次転写部Ｔ２へ搬送する。
【００１１】
画像形成部１ａ、１ｂ、１ｃ、１ｄは、それぞれの現像器５１ａ、５１ｂ、５１ｃ、５１ｄで用いるトナーの色がイエロー、マゼンタ、シアン、ブラックと異なる以外は、ほぼ同一に構成される。以下、画像形成部１ｄを説明し、画像形成部１ａ、１ｂ、１ｃの説明を省略する。なお、参照符号の添え字ａ、ｂ、ｃ及びｄは、それぞれイエロー、マゼンタ、シアン及びブラックを表す。以下の説明において、特に必要な場合を除き、参照符号の添え字ａ、ｂ、ｃ及びｄを省略する。画像形成部１は、本体３０に取り外し可能に装着される交換ユニット（プロセスカートリッジ）として組み立てられている。画像形成部１は、感光ドラム１０を含む。感光ドラム１０は、アルミニウム製シリンダの外周面に帯電極性が負極性の感光層が形成されている。感光ドラム１０は、駆動モータ（以下、ドラムモータという）１０Ｍ（図３）から駆動力が伝達され、所定のプロセススピードで回転する。
【００１２】
感光ドラム１０は、画像形成部１に内蔵された帯電ローラ４１によって均一な負極性の電位に帯電される。露光装置６は、ブラックの分解色画像を展開した走査線画像データに従ってＯＮ／ＯＦＦ変調されたレーザービームを回転多面鏡によって走査して、均一に帯電された感光ドラム１０の表面上に静電潜像を形成する。感光ドラム１０の表面上に形成された静電潜像は、画像形成部１に内蔵された現像器５１によってトナーが付着されてトナー像に反転現像される。一次転写ローラ２は、中間転写ベルト３を押圧して、感光ドラム１０と中間転写ベルト３との間に一次転写部Ｔを形成する。一次転写ローラ２に正極性の直流電圧が印加されることにより、感光ドラム１０に担持された負極性のトナー像が、一次転写部Ｔを通過する中間転写ベルト３へ一次転写される。
【００１３】
中間転写ユニット２０は、画像形成部１の上方に配置されている。中間転写ユニット２０は、中間転写ベルト３、中間転写ベルト３を支持する支持機構及び中間転写ベルト３を回転させる駆動機構を一体的に含む。中間転写ユニット２０は、画像形成装置１００の本体３０に取り外し可能に装着された交換ユニットである。中間転写ベルト３は、テンションローラ２７、ベルト駆動ローラ２６、二次転写内ローラ２５及び一次転写張架ローラ２８、２９に掛け渡して支持されている。中間転写ベルト３は、ベルト駆動ローラ２６によって矢印Ｒ２方向に回転される。中間転写ベルト３は、伸び縮みすることない無端状のベルト部材である。また、中間転写ユニット２０は、中間転写ベルト３上のトナー像の濃度を検出する濃度センサ８０を備えている。中間転写ユニット２０は、画像形成部１ａ、１ｂ、１ｃ、１ｄにそれぞれ対応して配置された一次転写ローラ２ａ、２ｂ、２ｃ、２ｄを有する。一次転写ローラ２ａ、２ｂ、２ｃ、２ｄは、それぞれ感光ドラム１０ａ、１０ｂ、１０ｃ、１０ｄに向かってバネ（不図示）によって付勢されている。一次転写ローラ２ａ、２ｂ、２ｃ、２ｄは、中間転写ベルト３を感光ドラム１０ａ、１０ｂ、１０ｃ、１０ｄに当接させて一次転写部Ｔａ、Ｔｂ、Ｔｃ及びＴｄを形成する。
【００１４】
二次転写内ローラ２５は、中間転写ベルト３の内側面を張架し、中間転写ベルト３を二次転写外ローラ２２に当接して二次転写部Ｔ２を形成する。二次転写内ローラ２５は、中間転写ユニット２０に設けられている。二次転写外ローラ２２は、画像形成装置１００の本体３０に設けられている。二次転写外ローラ２２は、電源（不図示）から正極性の直流電圧が印加され、接地電位に接続された二次転写内ローラ２５との間に転写電界を形成する。
【００１５】
定着装置５は、定着ヒータ５ｃが設けられた定着ローラ５ａと加圧ローラ５ｂを有する。加圧ローラ５ｂは、定着ローラ５ａに圧接して加熱ニップを形成する。用紙Ｐは、加熱ニップによって挟持されて搬送されつつ加熱及び加圧され、トナー像は、溶融されて用紙Ｐの表面に定着され、フルカラー画像が形成される。フルカラー画像が形成された用紙Ｐは、排出ローラ１１によって排出トレイ７上に排出される。
【００１６】
（電装ボックスの取り付け部）
次に、図２及び図３を用いて、電装ボックス２００が取り付けられる画像形成装置１００の取り付け部１１０を説明する。電装ボックス２００は、画像形成装置１００の本体３０に取り外し可能に固定される。サービスマンは、メンテナンス時に電装ボックス２００を画像形成装置１００から取り外すことができる。電装ボックス２００が取り付けられる取り付け部１１０は、画像形成装置１００の本体３０の後部３１に設けられている。図２は、画像形成装置１００の背面図である。説明のために、図２において、画像形成装置１００の背面カバーが外され、画像形成装置１００の後ろ側及び左側から画像形成装置１００の内部が見えるように描かれている。更に、図２において、電装ボックス２００の内側が見えるように電装ボックス２００の金属製の蓋も外されている。電装ボックス２００は、ビス（固定部材）２０８ａ、２０８ｂ、２０８ｃ、２０８ｄ、２０８ｅ及び２０８ｆによって画像形成装置１００の本体３０に取り外し可能に固定される。
【００１７】
図２に示すように、画像形成装置１００の後部３１の取り付け部１１０に、画像データ生成基板（第１の制御基板）２０１を収容している金属製の電装ボックス２００が取り付けられている。図３に示すように、取り付け部１１０には、ビス（ネジ）２０８ａ、２０８ｂ、２０８ｃ、２０８ｄが締めこまれるネジ穴２１０ａ、２１０ｂ、２１０ｃ、２１０ｄが設けられている。電装ボックス２００は、電装ボックス２００から外側へ突出した延在部２３０ａ、２３０ｂ、２３０ｃ、２３０ｄがビス２０８ａ、２０８ｂ、２０８ｃ、２０８ｄによって取り付け部１１０に固定されることによって、画像形成装置１００に取り付けられる。電装ボックス２００の中に配置された画像データ生成基板２０１は、電装ボックス２００の外に配置された電源供給制御基板（第２の制御基板）２０２にハーネス（ケーブル）２０５によって電気的に接続されている。電源供給制御基板２０２は、ハーネス２０５を介して画像データ生成基板２０１へ電源を供給するとともに画像データ生成基板２０１と通信する。ハーネス２０５は、電装ボックス２００に取り付けられたワイヤーサドル２１３を通過し、電装ボックス２００に設けられた電装ボックス開口部２０９ａを通過する。電装ボックス開口部２０９ａは、電装ボックス２００に設けられた切り欠き部であってもよい。
【００１８】
画像データ生成基板２０１は、また、露光装置６に取り付けられた露光装置制御基板（第２の制御基板）２０３にＦＦＣ２０４によって電気的に接続されている。画像データ生成基板２０１は、ＦＦＣ２０４を介して露光装置制御基板２０３へ画像データ信号を供給する。ＦＦＣ２０４は、電装ボックス２００に取り付けられたガイド２０６によって保持され、電装ボックス２００に設けられた電装ボックス開口部２０９ｂを通過する。電装ボックス開口部２０９ａは、電装ボックス２００に設けられた切り欠き部であってもよい。ＦＦＣ２０４は、更に、本体３０に取り付けられたガイド２０７によって保持され、本体３０に設けられた本体開口部３２を通過する。図２に示すように、ＦＦＣ２０４は、コネクタ２１１によって画像データ生成基板２０１に取り外し可能に接続されている。ハーネス２０５は、コネクタ２１２によって画像データ生成基板２０１に取り外し可能に接続されている。
【００１９】
電装ボックス２００を取り付け部１１０から取り外すためには、ＦＦＣ２０４及びハーネス２０５を画像データ生成基板２０１から取り外す必要がある。もし、ＦＦＣ２０４及びハーネス２０５が画像データ生成基板２０１に接続されたまま電装ボックス２００を取り外すと、ＦＦＣ２０４及びハーネス２０５が電装ボックス開口部２０９ｂ及び２０９ａに引っかかってしまう。その場合、ＦＦＣ２０４、コネクタ２１１、ハーネス２０５及びコネクタ２１２に応力がかかり、これらが破損する可能性がある。そこで、本実施例は、電装ボックス２００を取り付け部１１０から取り外す前にＦＦＣ２０４及びハーネス２０５を画像データ生成基板２０１から取り外し忘れないようにする構造を提供する。
【００２０】
図３は、電装ボックス２００、ＦＦＣ２０４及びハーネス２０５が取り外された画像形成装置１００の背面図である。取り付け部１１０から電装ボックス２００を取り外すと、定着装置５を駆動させる定着モータ５Ｍ及び感光ドラム１０を駆動させるドラムモータ１０Ｍが本体３０に取り付けられていることが視認できる。もし、定着モータ５Ｍ又はドラムモータ１０Ｍが故障した場合、サービスマンは、電装ボックス２００を取り付け部１１０から取り外し、故障した定着モータ５Ｍ又はドラムモータ１０Ｍを交換する。画像形成装置１００の後部３１には、電装ボックス２００が固定される取り付け部１１１及び１１２が設けられている。取り付け部１１１及び１１２は、本体３０に設けられた金属製の後側板３３（図４（ｃ））に固定されている。取り付け部１１１及び１１２には、図４で後述するビス（固定部材）２０８ｅ及び２０８ｆが締めこまれるネジ穴２１０ｅ及び２１０ｆが設けられている。
【００２１】
以下、図４を用いて、取り付け部１１１及び１１２に対して電装ボックス２００の内側のどの部分を固定するのかを説明する。図４は、電装ボックス２００の内側の部分拡大図である。図４（ａ）は、画像データ生成基板２０１のコネクタ２１１の付近の部分の拡大図であり、ＦＦＣ２０４が取り外された状態を示す。図４（ｂ）は、図４（ａ）に示すビス（ネジ）２０８ｅを取り外した状態を示す図である。ガイド２０６及び電装ボックス２００には、電装ボックス２００を図３に示す取り付け部１１１に固定するビス２０８ｅが通る穴２２１が設けられている。穴２２１にビス２０８ｅを通し、ビス２０８ｅを取り付け部１１１のネジ穴２１０ｅに締めこむことによって、電装ボックス２００が取り付け部１１１に固定される。
【００２２】
図４（ｃ）は、取り付け部１１１の断面図である。図４（ｃ）に示すように、ビス２０８ｅの位置は、ビス２０８ｅの取り付け方向ＳＤに沿って見たときに電装ボックス２００の中に配回されているＦＦＣ２０４の配回し経路にオーバーラップしている。従って、ＦＦＣ２０４がコネクタ２１１に取り付けられている状態では、ビス２０８ｅがＦＦＣ２０４の裏に隠れているので、サービスマンは、ビス２０８ｅを取り外せない。よって、電装ボックス２００を本体３０から取り外す前に、サービスマンは、必ずＦＦＣ２０４をコネクタ２１１から抜く必要がある。ＦＦＣ２０４と画像データ生成基板２０１の接続を解除すると即ちＦＦＣ２０４をコネクタ２１１から抜くと、サービスマンは、ビス２０８ｅを視認することができる。サービスマンは、電装ボックス２００を本体３０から取り外す前に必ずビス２０８ｅを取り外すことができる。ＦＦＣ２０４がコネクタ２１１から抜かれているので、電装ボックス２００を本体３０から取り外す際に電装ボックス開口部２０９ｂにＦＦＣ２０４が引っかかることがない。よって、ＦＦＣ２０４及びコネクタ２１１の破損を防止することができる。
【００２３】
図４（ｄ）は、画像データ生成基板２０１のコネクタ２１２の付近の部分の拡大図である。図４（ｅ）は、図４（ｄ）に示すハーネス２０５をコネクタ２１２から取り外し、ビス（ネジ）２０８ｆを取り外した状態を示す図である。電装ボックス２００には、電装ボックス２００を図３に示す取り付け部１１２に固定するビス２０８ｆが通る穴２２２が設けられている。穴２２２にビス２０８ｆを通し、ビス２０８ｆを取り付け部１１２のネジ穴２１０ｆに締めこむことによって、電装ボックス２００が取り付け部１１２に固定される。
【００２４】
図４（ｆ）は、取り付け部１１２の断面図である。図４（ｆ）に示すように、ビス２０８ｆの位置は、ビス２０８ｆの取り付け方向ＳＤに沿って見たときに電装ボックス２００の中に配回されているハーネス２０５の配回し経路にオーバーラップしている。従って、ハーネス２０５がコネクタ２１２に取り付けられている状態では、ビス２０８ｆがハーネス２０５の裏に隠れているので、サービスマンは、ビス２０８ｆを取り外せない。よって、電装ボックス２００を本体３０から取り外す前に、サービスマンは、必ずハーネス２０５をコネクタ２１２から抜く必要がある。ハーネス２０５と画像データ生成基板２０１の接続を解除すると即ちハーネス２０５をコネクタ２１２から抜くと、サービスマンは、ビス２０８ｆを視認することができる。サービスマンは、電装ボックス２００を本体３０から取り外す前に必ずビス２０８ｆを取り外すことができる。ハーネス２０５がコネクタ２１２から抜かれているので、電装ボックス２００を本体３０から取り外す際に電装ボックス開口部２０９ａにハーネス２０５が引っかかることがない。よって、ハーネス２０５及びコネクタ２１２の破損を防止することができる。
【００２５】
なお、電装ボックス２００の中に取り付けられる複数のビス２０８ｅ及び２０８ｆのうちの少なくとも一つのビスの位置が、取り付け方向ＳＤに沿って見たときにＦＦＣ２０４又はハーネス２０５などのケーブルに重なっていればよい。また、複数のビス２０８ｅ及び２０８ｆのうちの少なくとも一つのビスの位置が、電装ボックス２００の中の位置であり、ケーブルの画像データ生成基板２０１からの接続を解除したときに視認できる位置であるとよい。また、ビス２０８ｅの取り付け方向ＳＤに沿って見たときにビス２０８ｅの少なくとも一部又は全部がＦＦＣ２０４に重なっていればよい。ビス２０８ｅのビス頭がＦＦＣ２０４によって５０％以上隠れているとよい。また、ビス２０８ｆの取り付け方向ＳＤに沿って見たときにビス２０８ｆの少なくとも一部又は全部がハーネス２０５に重なっていればよい。ビス２０８ｆのビス頭がハーネス２０５によって５０％以上隠れているとよい。
【００２６】
また、ビス２０８ｅは、ＦＦＣ２０４の裏に隠れているので、図４（ａ）及び図４（ｂ）に示すようにビス２０８ｅの位置を示すシールや刻印２４１などの目印をビス２０８ｅの位置の付近で電装ボックス２００に設けてもよい。同様に、ビス２０８ｆは、ハーネス２０５の裏に隠れているので、図４（ｄ）及び図４（ｅ）に示すようにビス２０８ｆの位置を示すシールや刻印２４２をビス２０８ｆの位置の付近に設けてもよい。
【００２７】
以上説明したように、少なくとも一つのビス２０８ｅ又は２０８ｆは、ビス２０８ｅ又は２０８ｆの取り付け方向ＳＤに沿って見たときに、電装ボックス２００の中のＦＦＣ２０４又はハーネス２０５の経路に重なるように位置されている。従って、少なくとも一つのビス２０８ｅ又は２０８ｆを取り外す前に画像データ生成基板２０１とＦＦＣ２０４又はハーネス２０５の接続を解除する必要がある。よって、サービスマンは、ＦＦＣ２０４又はハーネス２０５を画像データ生成基板２０１から抜き忘れることなく電装ボックス２００を本体３０から取り外すことができる。本実施例によれば、サービスマンがケーブルの接続を解除し忘れることなく電装ボックス２００を取り外すことができる。
【符号の説明】
【００２８】
３０・・・本体
１００・・・画像形成装置
２００・・・電装ボックス
２０１・・・画像データ生成基板（第１の制御基板）
２０２・・・電源供給制御基板（第２の制御基板）
２０３・・・露光装置制御基板（第２の制御基板）
２０４・・・ＦＦＣ（ケーブル）
２０５・・・ハーネス（ケーブル）
２０８ａ〜２０８ｆ・・・ビス（固定部材）
【図１】
2020170024.tif 000003
【図２】
2020170024.tif 000004
【図３】
2020170024.tif 000005
【図４】
2020170024.tif 000006